(57)【要約】【課題】共通アカウントでログインを行う一つ以上の移動端末に、受信された通信サービスを処理させるときのユーザーの作業の複雑度を低減すること。【解決手段】本発明は、共通アカウントでの通信サービスの処理方法及び処理装置を開示する。前記方法は、第一移動端末が、共通アカウントの優先順位の設定メニューをユーザーへ表示し、ユーザー操作に応じて共通アカウントの優先順位を調整し、前記第一移動端末が少なくとも一つの第二移動端末と共同で共通アカウントを使用することと、前記第一移動端末が、共通アカウントで通信サービスを受信し、且つ前記共通アカウントの優先順位が前記通信サービスを処理するための優先順位条件を満たすと判断した場合、受信された前記通信サービスを処理することとを含む。
2015530049.tif 000002
【特許請求の範囲】
【請求項１】
共通アカウントでの通信サービスの処理方法であって、
第一移動端末が、共通アカウントの優先順位の設定メニューをユーザーへ表示し、ユーザー操作に応じて共通アカウントの優先順位を調整し、前記第一移動端末が少なくとも一つの第二移動端末と共同で共通アカウントを使用することと、
前記第一移動端末が、共通アカウントで通信サービスを受信し、且つ前記共通アカウントの優先順位が前記通信サービスを処理するための優先順位条件を満たすと判断した場合、受信された前記通信サービスを処理することと
を含むことを特徴とする処理方法。
【請求項２】
前記第一移動端末が共通アカウントの優先順位の設定メニューをユーザーへ表示することは、
前記第一移動端末が、ユーザーの検索指示に従って、共通アカウントの優先順位を設定するための操作インターフェースを取得し、前記操作インターフェースをユーザーに表示すること、または、
前記第一移動端末が、ローカル特定範囲内で、近距離無線通信（ＮＦＣ：Near Field Communication）チップが設置された、前記共通アカウントを使用する少なくとも一つの第二移動端末が存在することを検出した場合、前記共通アカウントの優先順位を設定するための操作インターフェースをアクティブにし、前記操作インターフェースをユーザーに表示することを含む
ことを特徴とする請求項１に記載の処理方法。
【請求項３】
前記第一移動端末が、前記共通アカウントで通信サービスを受信した後、前記共通アカウントの優先順位が前記通信サービスを処理するための優先順位条件を満たすと判断する前に、前記処理方法は、さらに、
前記第一移動端末が、前記第一移動端末により設定された共通アカウントの優先順位に従って、受信された前記共通アカウントでの通信サービスを処理するかどうかを判断することを含む
ことを特徴とする請求項２に記載の処理方法。
【請求項４】
前記第一移動端末が、前記共通アカウントの優先順位が前記通信サービスを処理するための優先順位条件を満たすと判断した場合、受信された前記通信サービスを処理することは、
前記第一移動端末が、前記共通アカウントの優先順位が、前記共通アカウントを使用する各移動端末における優先順位のなかで最も高いと判断した場合、受信された前記通信サービスを処理すること、または、
前記第一移動端末が、前記共通アカウントの優先順位が前記共通アカウントを使用する各移動端末における優先順位のなかで最も高くなく且つ最も低くないと判断した場合、受信された前記通信サービスを処理すること、または、
前記第一移動端末が、前記共通アカウントの優先順位が前記共通アカウントを使用する各移動端末における優先順位のなかで最も低いと判断した場合、受信された前記通信サービスを処理することを含む
ことを特徴とする請求項１、２または３に記載の処理方法。
【請求項５】
前記受信された前記通信サービスを処理することは、
処理を行うかを確認するためのインターフェースをユーザーへ表示し、ユーザーが確認操作を行った後で、受信された前記通信サービスを処理することを含む
ことを特徴とする請求項４に記載の処理方法。
【請求項６】
共通アカウントでの通信サービスの処理装置であって、調整ユニット及び処理ユニットを含み、
前記調整ユニットは、共通アカウントの優先順位の設定メニューをユーザーへ表示し、ユーザー操作に応じて、前記調整ユニットが設置された第一移動端末の共通アカウントの優先順位を調整するように構成され、
前記第一移動端末は、少なくとも一つの第二移動端末と共同で前記共通アカウントを使用し、
前記処理ユニットは、前記共通アカウントで通信サービスを受信し、且つ前記共通アカウントの優先順位が前記通信サービスを処理するための優先順位条件を満たすと判断した場合、受信された前記通信サービスを処理するように構成される
ことを特徴とする処理装置。
【請求項７】
前記調整ユニットは、
ユーザーの検索指示に従って、共通アカウントの優先順位を設定するための操作インターフェースを取得し、前記操作インターフェースをユーザーに表示するように構成されるか、または、
ローカル特定範囲内で、近距離無線通信（ＮＦＣ：Near Field Communication）チップが設置された、前記共通アカウントを使用する少なくとも一つの第二移動端末が存在することを検出した場合、前記共通アカウントの優先順位を設定するための操作インターフェースをアクティブにし、前記操作インターフェースをユーザーに表示するように構成される
ことを特徴とする請求項６に記載の処理装置。
【請求項８】
前記処理ユニットは、前記共通アカウントで通信サービスを受信した後、前記第一移動端末により設定された共通アカウントの優先順位が前記通信サービスを処理するための優先順位条件を満たすと判断する前に、設定された共通アカウントの優先順位に従って、受信された前記共通アカウントでの通信サービスを処理するかどうかを判断するように構成される
ことを特徴とする請求項７に記載の処理装置。
【請求項９】
前記処理ユニットは、
前記第一移動端末により設定された共通アカウントの優先順位が前記共通アカウントを使用する各移動端末における優先順位のなかで最も高いと判断した場合、受信された前記通信サービスを処理するように構成されるか、または、
前記第一移動端末により設定された共通アカウントの優先順位が前記共通アカウントを使用する各移動端末における優先順位のなかで最も高くなく且つ最も低くないと判断した場合、受信された前記通信サービスを処理するように構成されるか、または、
前記第一移動端末により設定された共通アカウントの優先順位が前記共通アカウントを使用する各移動端末における優先順位のなかで最も低いと判断した場合、受信された前記通信サービスを処理するように構成される
ことを特徴とする請求項６、７または８に記載の処理装置。
【請求項１０】
前記処理ユニットは、前記第一移動端末により設定された共通アカウントの優先順位が前記通信サービスを処理するための優先順位条件を満たすと判断した後、処理を行うかどうかを確認するためのインターフェースをユーザーへ表示し、ユーザーが確認操作を行った後、受信された前記通信サービスを処理するように構成される
ことを特徴とする請求項９に記載の処理装置。
【発明の詳細な説明】
【技術分野】
【０００１】
本発明は、移動通信分野に関し、特に、共通アカウントでの通信サービスの処理方法及び処理装置に関する。
【背景技術】
【０００２】
現在、移動通信技術の継続的な発展に伴い、移動端末は、すでに人々の生活に深く浸透しており、移動通信は最も広く使用されている通信方式となっている。人々の生活品質に対する追求に伴い、より多くのインテリジェント移動端末が人々の生活に浸透し、また、移動端末のアカウントは、インテリジェント移動端末においてもより重要な役割を果たしている。
【０００３】
移動端末のユーザーは、このアカウントをオンラインアプリケーションストアの支払いアカウントとして使用するだけではなく、アカウントにより自分の個人情報を管理することもできる。さらにユーザーは、名刺ホルダー、電子メールを管理したり、インターネットプロトコル（ＩＰ：Ｉｎｔｅｒｎｅｔ Ｐｒｏｔｏｃｏｌ）メッセージを送信したり、ＶＯＩＰ（Ｖｏｉｃｅ  Ｏｖｅｒ  Ｉｎｔｅｒｎｅｔ  Ｐｒｏｔｏｃｏｌ）ビデオ通話を開始したりすることができる。移動端末のアカウントは、前記移動端末の使用「キー」であり、この「キー」により同時に複数の「ドア」を開けることができる。つまり、同じユーザーアカウントにより、携帯電話、タブレット型コンピュータ等の複数の移動端末にログインすることができる。
【０００４】
ユーザーは、同じアカウントにより複数の移動端末に同時にログインすることができるが、ある状況において、ユーザーがこれらの移動端末に同じユーザーアカウントを使用してログインするときに、各移動端末の優先順位が調整されていないと、ネットワーク側がこのアカウントで各移動端末に通信サービスを送信するときに、ユーザーは、同一のアカウントを使用する各移動端末に対して作業（すなわち通信サービス処理操作、または通信サービス処理拒否操作）を行う必要がある。これは、ユーザーにとって大変不便である。たとえば、共同で共通アカウント「１」を使用する移動端末ａ、移動端末ｂ、移動端末ｃ及び移動端末ｄが、いずれもＶＯＩＰビデオ通話サービスを受信する場合において、ユーザーＡが移動端末ａにより共通アカウント「１」で通信サービス（つまりビデオ通話）を受けたいとき、その他の三つの移動端末に対して「拒否」操作を行う必要があると、ユーザーにとって不便である。
【発明の概要】
【発明が解決しようとする課題】
【０００５】
本発明の実施形態は、共通アカウントでログインを行う移動端末を有するユーザーが、共通アカウントでの通信サービスを処理させるための作業を行うとき、その作業の複雑度が高く、効率が低いといった問題を解決するための、共通アカウントでの通信サービスの処理方法及び処理装置を提供する。
【課題を解決するための手段】
【０００６】
共通アカウントでの通信サービスの処理方法は、
第一移動端末が、共通アカウントの優先順位の設定メニューをユーザーへ表示し、ユーザー操作に応じて共通アカウントの優先順位を調整し、前記第一移動端末が少なくとも一つの第二移動端末と共同で共通アカウントを使用することと、
前記第一移動端末が、共通アカウントでの通信サービスを受信し、且つ前記共通アカウントの優先順位が前記通信サービスを処理するための優先順位条件を満たすと判断した場合、受信された前記通信サービスを処理することとを含む。
【０００７】
好ましくは、前記第一移動端末が共通アカウントの優先順位の設定メニューをユーザーへ表示することは、前記第一移動端末が、ユーザーの検索指示に従って、共通アカウントの優先順位を設定するための操作インターフェースを取得し、前記操作インターフェースをユーザーに表示すること、または、
前記第一移動端末が、ローカル特定範囲内で、近距離無線通信（ＮＦＣ：Near Field Communication）チップが設置された、前記共通アカウントを使用する少なくとも一つの第二移動端末が存在することを検出した場合、前記共通アカウントの優先順位を設定するための操作インターフェースをアクティブにし、前記操作インターフェースをユーザーに表示することを含む。
【０００８】
好ましくは、前記第一移動端末が、前記共通アカウントで通信サービスを受信した後、前記共通アカウントの優先順位が前記通信サービスを処理するための優先順位条件を満たすと判断する前に、前記方法は、さらに、
前記第一移動端末が、前記第一移動端末により設定された共通アカウントの優先順位に従って、受信された前記共通アカウントでの通信サービスを処理するかどうかを判断することを含む。
【０００９】
好ましくは、前記第一移動端末が、前記共通アカウントの優先順位が前記通信サービスを処理するための優先順位条件を満たすと判断した場合、受信された前記通信サービスを処理することは、
前記第一移動端末が、前記共通アカウントの優先順位が前記共通アカウントを使用する各移動端末における優先順位のなかで最も高いと判断した場合、受信された前記通信サービスを処理すること、または、
前記第一移動端末が、前記共通アカウントの優先順位が前記共通アカウントを使用する各移動端末における優先順位のなかで最も高くなく且つ最も低くないと判断した場合、受信された前記通信サービスを処理すること、または、
前記第一移動端末が、前記共通アカウントの優先順位が前記共通アカウントを使用する各移動端末における優先順位のなかで最も低いと判断した場合、受信された前記通信サービスを処理することを含む。
【００１０】
好ましくは、前記受信された前記通信サービスを処理することは、処理を行うかを確認するための確認インターフェースをユーザーへ表示し、ユーザーが確認操作を行った後、受信された前記通信サービスを処理することを含む。
【００１１】
共通アカウントでの通信サービスの処理装置は、調整ユニット及び処理ユニットを含み、
前記調整ユニットは、共通アカウントの優先順位の設定メニューをユーザーへ表示し、ユーザー操作に応じて、前記調整ユニットが設置された第一移動端末の共通アカウントの優先順位を調整するように構成され
前記第一移動端末は、少なくとも一つの第二移動端末と共同で前記共通アカウントを使用し、
前記処理ユニットは、前記共通アカウントで通信サービスを受信し、且つ前記共通アカウントの優先順位が前記通信サービスを処理するための優先順位条件を満たすと判断した場合、受信された前記通信サービスを処理するように構成される。
【００１２】
好ましくは、前記調整ユニットは、
ユーザーの検索指示に従って、共通アカウントの優先順位を設定するための操作インターフェースを取得し、前記操作インターフェースをユーザーに表示するように構成されるか、または、
ローカル特定範囲内で、近距離無線通信（ＮＦＣ）チップが設置された、前記共通アカウントを使用する少なくとも一つの第二移動端末が存在することを検出した場合、前記共通アカウントの優先順位を設定するための操作インターフェースをアクティブにし、前記操作インターフェースをユーザーに表示するように構成される。
【００１３】
好ましくは、前記処理ユニットは、前記共通アカウントでの通信サービスを受信した後、前記第一移動端末により設定された共通アカウントの優先順位が前記通信サービスを処理するための優先順位条件を満たすと判断する前に、前記第一移動端末により設定された共通アカウントの優先順位に従って、受信された前記共通アカウントでの通信サービスを処理するかどうかを判断するように構成される。
【００１４】
好ましくは、前記処理ユニットは、
前記第一移動端末により設定された共通アカウントの優先順位が前記共通アカウントを使用する各移動端末における優先順位のなかで最も高いと判断した場合、受信された前記通信サービスを処理するように構成されるか、または、
前記第一移動端末により設定された共通アカウントの優先順位が前記共通アカウントを使用する各移動端末における優先順位のなかで最も高くなく且つ最も低くないと判断した場合、受信された前記通信サービスを処理するように構成されるか、又は、
前記第一移動端末により設定された共通アカウントの優先順位が前記共通アカウントを使用する各移動端末における優先順位のなかで最も低いと判断した場合、受信された前記通信サービスを処理するように構成される。
【００１５】
好ましくは、前記処理ユニットは、前記第一移動端末により設定された共通アカウントの優先順位が前記通信サービスを処理するための優先順位条件を満たすと判断した後、処理を行うかどうかを確認するための確認インターフェースをユーザーに表示し、ユーザーが確認操作を行った後、受信された前記通信サービスを処理するように構成される。
【００１６】
本発明の実施形態において、共通アカウントでの通信サービスの処理方法が提案される。この方法は、第一移動端末が、共通アカウントの優先順位の設定メニューをユーザーへ表示し、ユーザー操作に応じて共通アカウントの優先順位を調整し、第一移動端末が少なくとも一つの第二移動端末と共同で共通アカウントを使用することと、第一移動端末が、共通アカウントで通信サービスを受信し、且つ第一移動端末により設定された共通アカウントの優先順位が通信サービスを処理するための優先順位条件を満たすと判断した場合、受信された通信サービスを処理することとを含む。これにより、複数の移動端末が共通アカウントでログインを行うとき、この共通アカウントでログインを行うすべての移動端末がいずれもこのアカウントへ送信される通信サービスを受信する。そしてユーザーがその中の一つ以上の移動端末により、受信された通信サービスを処理したい場合、ユーザーは、この共通アカウントを使用する通信サービスを処理しないその他の移動端末に、受信された通信サービスの「拒否」動作を行わせる必要はなく、ユーザーは、各移動端末のアカウント優先順位を設定するだけで足りる。これにより、共通アカウントでの通信サービスを処理させるときの作業の複雑度が低減され、効率が向上する。
【図面の簡単な説明】
【００１７】
【図１】本発明の実施形態に係る第一移動端末の機能構成模式図である。
【図２】本発明の実施形態に係る、共通アカウントでログインを行う移動端末が共通アカウントでの通信サービスを処理するときの詳細なフローチャートである。
【図３Ａ】本発明の実施形態に係る「設定」メニューのインターフェースを示す図である。
【図３Ｂ】本発明の実施形態に係る「カスタマイズ設定」メニューのインターフェースを示す図である。
【図３Ｃ】本発明の実施形態に係る「アカウント優先順位設定」メニューの操作インターフェースを示す図である。
【発明を実施するための形態】
【００１８】
現在の移動通信では、消費者は、直接的に環境とインタラクションを行うため、かつ、電子機器間における通信を可能にするためのより簡単な方法を求めている。近距離無線通信（ＮＦＣ）は、このような通信世界で肝心な役割を果たしている。
【００１９】
便利な無線接続によるＮＦＣは、携帯電話等の移動端末に基づいて近距離無線通信を実現する技術である。ＮＦＣは、主に１３.５６ＭＨｚの周波数に基づいて稼動する無線周波数技術であり、２０センチ以内の近距離範囲転送に用いられ、データ転送速度は１０６Ｋｂｉｔ/ｓ、２１２Ｋｂｉｔ/ｓまたは４２４Ｋｂｉｔ/ｓを選択することができる。その転送範囲は非接触型無線周波数識別より小さいが、距離が近く、帯域幅が高く、エネルギー消費が低いなどの利点を備えており、ＮＦＣは、すべての消費者向け電子機器に対して一つの非常に便利な通信方式を提供する。
【００２０】
現在、ＮＦＣ技術は、主にアクセス制御システム、タグ追跡、発券サービス、公共交通、電子支払いなどに用いられている。現在の一般的なＮＦＣチップは、いずれも一つの特殊な信号を備えている。移動端末がシャットダウンされたときに、このチップが引き続き稼働することができるようにするために、通常、この信号は設計時にデフォルトで増やされる。そのため、ＮＦＣ機能を備える携帯電話は、シャットダウンされた状態でも、そのＮＦＣ機能が依然として稼働状態に維持される。
【００２１】
共通アカウントでログインを行う一つ以上の移動端末に、受信された通信サービスを処理させるときのユーザーの作業の複雑度を低減するために、本発明の実施形態において、共通アカウントを使用する移動端末の共通アカウントの優先順位を設定し、移動端末が、共通アカウントでの通信サービスを受信し、且つ対応する移動端末のために設定された共通アカウントの優先順位が通信サービスを処理する優先順位条件を満たすと判断した場合、受信された通信サービスを処理する。それによって、複数の移動端末が共通アカウントでログインを行った場合に、ユーザーがその中の一つ以上の移動端末により、受信された通信サービスを処理したいとき、ユーザーは、この共通アカウントを使用するその他の移動端末に、受信された通信サービスの「拒否」動作を行わせる必要がない。これにより、共通アカウントでの通信サービスを処理させるときの作業の複雑度が低減され、効率が向上する。
【００２２】
以下、添付の図面を参照して本発明の好ましい実施形態を詳細に説明する。
【００２３】
図１に示すように、本発明の実施形態において、第一移動端末は、調整ユニット１０及び処理ユニット１１を含む。
【００２４】
調整ユニット１０は、共通アカウントの優先順位の設定メニューをユーザーへ表示し、ユーザー操作に応じて、調整ユニット１０が設置された移動端末の共通アカウントの優先順位を調整するように構成される。調整ユニット１０が設置された移動端末が第一移動端末であり、この第一移動端末は、少なくとも一つの第二移動端末と共同で共通アカウントを使用する。
【００２５】
処理ユニット１１は、共通アカウントで通信サービスを受信し、且つ対応する移動端末により設定された共通アカウントの優先順位が通信サービスを処理するための優先順位条件を満たすと判断した場合、受信された通信サービスを処理するように構成される。
【００２６】
図２を参照して、上記の技術的なスキームに基づく本発明の実施形態において、共通アカウントでログインが行われる移動端末が共通アカウントでの通信サービスを処理する詳細な処理は次の通りである。
【００２７】
ステップ２００、第一移動端末は、共通アカウントの優先順位の設定メニューをユーザーへ表示し、ユーザー操作に応じて、共通アカウントの優先順位を調整する。ここで、前記第一移動端末は、少なくとも一つの第二移動端末と共同で共通アカウントを使用する。
【００２８】
本発明の実施形態において、前記第一移動端末が共通アカウントの優先順位の設定メニューをユーザーへ表示するための方法は、以下の二種類の方法を少なくとも含む。１つ目は、第一移動端末が、ユーザーの検索指示に従って、共通アカウントの優先順位を設定するための操作インターフェースを取得し、この操作インターフェースをユーザーに表示するという方法である。２つ目は、第一移動端末が、ローカル特定範囲内で、ＮＦＣチップが設置された、共通アカウントを使用する少なくとも一つの第二移動端末が存在することを検出した場合、共通アカウントの優先順位を設定するための操作インターフェースをアクティブにし、この操作インターフェースをユーザーに表示するという方法であるここで、前記特定範囲は、ＮＦＣチップの通信範囲内である。
【００２９】
例えば、第一移動端末Ａの「共通アカウントの優先順位」メニューが「カスタマイズ設定」メニューのサブメニューであり、「カスタマイズ設定」メニューが「設定」メニューのサブメニューである場合を想定する。この場合において、第一移動端末Ａがユーザーの検索指示に従って、共通アカウントの優先順位を設定するための操作インターフェースを取得するときの具体的な動作について説明する。まず、第一移動端末Ａは、ユーザーのクリックに従って、図３Ａに示すような「設定」メニューのインターフェースを取得する。「設定」メニューのインターフェースは、「カスタマイズ設定」メニュー、「無線及びネットワーク」メニュー、「表示」メニュー、「音声」メニュー、「アプリケーションプログラム」メニューという各レベルのサブメニューのアプリケーションアイコンである。次に、第一移動端末Ａは、ユーザーのクリックに従って、図３Ｂに示すような、「設定」メニューのサブメニューである「カスタマイズ設定」のインターフェースを取得する。「カスタマイズ設定」メニューのインターフェースは、「シナリオ」メニュー、「ロック画面の壁紙」メニュー、「共通アカウントの優先順位」メニュー、「デフォルトの着信音」メニューという各レベルのサブメニューのアプリケーションアイコンである。その後、第一移動端末Ａは、ユーザーのクリックに従って、図３Ｃに示すような、共通アカウントの優先順位を設定するための操作インターフェース、即ち「共通アカウントの優先順位」メニューの操作インターフェースを取得し、この操作インターフェースをユーザーに表示する。
【００３０】
また、例えば、第一移動端末Ａ、第二移動端末Ｂ及び第三移動端末Ｃが、いずれも共通アカウントＳでログインを行い、かつ、第一移動端末Ａ、第二移動端末Ｂ及び第三移動端末Ｃが、いずれもＮＦＣチップを備えている場合を想定する。この場合において、第一移動端末Ａが、第一移動端末の周辺範囲内に第二移動端末Ｂが存在することを検出した場合、共通アカウントの優先順位を設定するための操作インターフェースをアクティブにし、この操作インターフェースをユーザーに表示する。同様に、第一移動端末Ａは、第三移動端末Ｃによりローカルの共通アカウントの優先順位を設定するための操作インターフェースをアクティブにし、この操作インターフェースをユーザーに表示してもよい。
【００３１】
ステップ２１０、前記第一移動端末は、共通アカウントで通信サービスを受信し、且つ前記共通アカウントの優先順位が前記通信サービスを処理するための優先順位条件を満たすと判断した場合、受信された前記通信サービスを処理する。
【００３２】
本発明の実施形態において、第一移動端末が前記共通アカウントの優先順位が前記通信サービスを処理するための優先順位条件を満たすと判断した場合、受信された前記通信サービスを処理することは、第一移動端末が、対応する第一移動端末により設定された共通アカウントの優先順位が共通アカウントを使用する各移動端末における優先順位のなかで最も高いと判断した場合、受信された通信サービスを処理することを含む。
【００３３】
または、第一移動端末が、対応する第一移動端末により設定された共通アカウントの優先順位が共通アカウントを使用する各移動端末における優先順位のなかで最も高くなく且つ最も低くないと判断した場合、受信された通信サービスを処理することを含む。
【００３４】
または、第一移動端末が、対応する第一移動端末により設定された共通アカウントの優先順位が共通アカウントを使用する各移動端末における優先順位のなかで最も低くいと判断した場合、受信された通信サービスを処理することを含む。ここで、前記通信サービスは通信情報であってよい。
【００３５】
以下、移動端末により設定された共通アカウントの優先順位が共通アカウントを使用する各移動端末における優先順位のなかで最も高くなく且つ最も低くない場合に、受信された通信サービスが処理される場合を一例として説明する。
【００３６】
第一移動端末Ａ、第二移動端末Ｂ及び第三移動端末Ｃが、いずれも共通アカウント１でログインを行う。ここで、第一移動端末Ａの共通アカウントの優先順位が「高」であり、第二移動端末Ｂの共通アカウントの優先順位が「中」であり、第三移動端末Ｃの共通アカウントの優先順位が「低」であるとする。
【００３７】
ある時点で、第一移動端末Ａ、第二移動端末Ｂ及び第三移動端末Ｃは、いずれも共通アカウント１でビデオチャットを受信する。第一移動端末Ａ、第二移動端末Ｂ及び第三移動端末Ｃは、それぞれ、各自に設定された、共通アカウント１に対応する優先順位情報に基づいて、自身の優先順位が最も高くなく且つ最も低くないかを判断する。第二移動端末Ｂの優先順位のみが「中」であるため、第二移動端末Ｂのみが、共通アカウント１へ送信された、受信されたビデオチャットをユーザー操作に応じて処理する。第一移動端末Ａの優先順位は最も高い優先順位であり、第三移動端末Ｃの優先順位は最も低い優先順位であるため、第一移動端末Ａと第三移動端末Ｃは、共通アカウント１で通信サービス（つまり、ビデオチャット）を受信したものの、通信サービス（つまり、ビデオチャット）に対するユーザーの作業を待たずに、自動的にビデオチャットに対する処理をシャットダウンする。
【００３８】
本発明の実施形態において、優先順位情報は、端末の識別ビットを用いて表すことができる。例えば、優先順位が高い識別ビットが「２」とされ、優先順位が最も高くなく且つ最も低くない識別ビットが「１」とされ、優先順位の低い識別ビットが「０」とされる。もちろんこの表示方式に限られず、他の表現方式を用いることも可能であるが、他の表現方式については説明を省略する。
【００３９】
本発明の実施形態において、第一移動端末は、共通アカウントでの通信サービスを受信し、且つ対応する第一移動端末により設定された共通アカウントの優先順位が通信サービスを処理するための優先順位条件を満たすと判断した場合に、受信された通信サービスを処理する。例えば、第一移動端末Ａ、第二移動端末Ｂ及び第三移動端末Ｃが、いずれも共通アカウント１でログインを行い、ある時点で、第一移動端末Ａ、第二移動端末Ｂ及び第三移動端末Ｃが、いずれも共通アカウント１でビデオ通話を受信したとする。この場合、第一移動端末Ａ、第二移動端末Ｂ及び第三移動端末Ｃは、それぞれ、各自に設定された、共通アカウント１に対応する優先順位情報に基づいて、自身が前記ビデオ通話を処理するための優先順位条件を満たすかどうかを判断する。共通アカウント１に対応する優先順位が最も高いときに情報を処理する場合において、第一移動端末Ａのみが最も高い優先順位であるとすると、第一移動端末Ａのみがユーザー操作に応じてビデオ通話を処理する。一方、第二移動端末Ｂ及び第三移動端末Ｃは、自身の優先順位が最も高い優先順位ではないため、ＶＯＩＰビデオ通話を受信したときに自動的にビデオ通話をシャットダウンする。そのため、ユーザーが第一移動端末Ａにより受信された通信サービスを処理したい場合に、ユーザーは、この共通アカウントを使用する第二移動端末Ｂ及び第三移動端末Ｃに、受信された通信サービスの「拒否」動作を行わせる必要がない。これにより、共通アカウントでの通信サービスを処理させるときの作業の複雑度が低減され、効率が向上する。
【００４０】
前記第一移動端末は、第一移動端末により設定された共通アカウントの優先順位に従って、受信された前記共通アカウントでの通信サービスを処理するかどうかを判断する。ここで、例えば、三つの端末が、いずれも共通アカウント１へ送信されるメッセージを受信する場合を想定する。この場合において、第一移動端末Ａが自身の優先順位が最も高いかどうかを判断し、端末Ａが自身の優先順位が「２」であると判断した場合、第一移動端末Ａは、このメッセージを表示する。また、第二移動端末Ｂが自身の優先順位が最も高いかどうかを判断し、第二移動端末Ｂが、自身の優先順位が最も高い優先順位ではない「１」であると判断した場合、第二移動端末Ｂは、自動的にこのメッセージの表示をシールドする。第三移動端末Ｃも同様に自身の優先順位が最も高いかどうかを判断し、第三移動端末Ｃが、自身の優先順位が最も高い優先順位ではない「０」であると判断した場合、第三移動端末Ｃは、自動的にこのメッセージの表示をシールドする。各端末の優先順位は、いずれも各端末に保存されており、メッセージが届いたときに優先順位の判断が行われる。
【００４１】
なお、優先順位の最も高い移動端末は一つに限られず、必要に応じて優先順位の最も高い複数の移動端末を設定することができる。
【００４２】
本発明の実施形態において、ユーザーは、ログインが行われたアカウントでの、受信されたすべての通信サービスに対して、移動端末自身の共通アカウントの優先順位を判断するように移動端末を設定することができる。また、ユーザーは、ログインが行われたアカウントでの或る特定の通信サービスを受信した後にのみ、移動端末自身の共通アカウントの優先順位を判断するように移動端末を設定することもできる。そのため、第一移動端末が共通アカウントでの通信サービスを受信した後、第一移動端末により設定された共通アカウントの優先順位が通信サービスを処理するための優先順位条件を満たすと判断する前に、この方法は、さらに、第一移動端末が、受信された通信サービスが、この移動端末の共通アカウントの優先順位を検出する必要がある通信サービスであると判断することを含む。
【００４３】
本発明の実施形態において、誤動作による第一移動端末の通信サービスに対する処理を避けるために、好ましくは、第一移動端末は、ユーザーによる通信サービスのための操作を検出した場合、操作インターフェースの形式でユーザーへ通信サービスの処理を行うかどうかを提示する。この操作インターフェースに表示される選択肢は、「はい」及び「いいえ」である。ユーザーが「はい」をクリックした場合、第一移動端末は、ユーザーにより指摘された通信サービスを起動し、一方、ユーザーが「いいえ」をクリックした場合、第一移動端末は処理を行わない。
【００４４】
例えば、第一移動端末Ａが、共通アカウント１で通信サービス、つまり、ビデオ通話を受信し、且つ第一移動端末により設定された共通アカウントの優先順位が通信サービスを処理するための優先順位条件を満たすと判断した場合を想定する。この場合、第一移動端末Ａは、ユーザーによる、ビデオ通話を接続するためのボタンのクリックを検出したときに、操作インターフェースの形式でユーザーに通信サービス（即ちビデオ通話）の処理を行うかどうかを提示する。第一移動端末Ａは、ユーザーが選択肢「はい」をクリックした場合、ビデオ通話を起動し、ユーザーが選択肢を「いいえ」クリックした場合、処理を行わない。
【００４５】
上記のように、本発明の実施形態において、共通アカウントでの通信サービスの処理方法が提案される。具体的には、この方法は、第一移動端末が、共通アカウントの優先順位の設定メニューをユーザーへ表示し、ユーザー操作に応じて共通アカウントの優先順位を調整する。前記第一移動端末は、少なくとも一つの第二移動端末と共同で共通アカウントを使用する。前記第一移動端末が、共通アカウントで通信サービスを受信し、且つ前記共通アカウントの優先順位が前記通信サービスを処理するための優先順位条件を満たすと判断した場合、受信された前記通信サービスを処理する。これにより、複数の移動端末が共通アカウントでログインを行った場合に、ユーザーがその中の一つ以上の移動端末により受信された通信サービスを処理したいとき、ユーザーは、この共通アカウントを使用するその他の移動端末に、受信された通信サービスの「拒否」動作を行わせる必要がなく、ユーザーは、各移動端末のアカウント優先順位を設定するだけで足りる。これにより、共通アカウントでの通信サービスを処理させるときのユーザーの作業の複雑度が低減され、効率が向上する。 
【００４６】
本発明は、本発明の実施形態に係る方法、装置（システム）、及びコンピュータプログラム製品のフローチャート及び／又はブロック図を参照して説明される。フローチャート及び／又はブロック図における各プロセス及び／又はブロック、並びに、フローチャート及び／又はブロック図におけるプロセス及び／又はブロックの組み合わせは、コンピュータプログラムコマンドによって実現することができる点に留意されたい。これらのコンピュータプログラムコマンドを汎用コンピュータ、専用コンピュータ、組込みプロセッサ又はその他のプログラマブルデータ処理装置のプロセッサに提供することで一つの装置を生成することができる。これにより、コンピュータ又はその他のプログラマブルデータ処理装置のプロセッサで実行されるコマンドにより、フローチャートの一つのプロセス又は複数のプロセス及び／又はブロック図の一つのブロック又は複数のブロックで特定される機能を実現するための装置が生成される。
【００４７】
これらのコンピュータプログラムコマンドは、コンピュータ又はその他のプログラマブルデータ処理装置を特定の方式で稼働するようにガイドできるコンピュータ読み取り可能なメモリに記憶することもできる。これにより、このコンピュータ読み取り可能なメモリに記憶されるコマンドにより、コマンド装置が含まれる製造品を生成し、このコマンド装置がフローチャートの一つのプロセス又は複数のプロセス及び／又はブロック図の一つのブロック又は複数のブロックで特定される機能が実現される。
【００４８】
これらのコンピュータプログラムコマンドは、コンピュータ又はその他のプログラマブルデータ処理装置にロードすることができ、これにより、コンピュータ又はその他のプログラマブル装置で一連の操作ステップを実行してコンピュータより実現される処理を生成させ、それによってコンピュータ又はその他のプログラマブル装置で実行されるコマンドがフローチャートの一つのプロセス又は複数のプロセス及び／又はブロック図の一つのブロック又は複数のブロックで特定される機能を実現するためのステップを提供する。
【００４９】
以上、本発明の好ましい実施形態を説明したが、本分野の当業者は、一旦基本的な創造的概念を把握すると、これらの実施形態に対してその他の変更及び改修を行うことができる。従って、添付の請求項は、好ましい実施形態及び本発明範囲に含まれるすべての変更及び改修を含むものと解釈される。
【００５０】
明らかなように、本分野の当業者は、本発明の実施形態の精神と範囲から逸脱することなく、本発明の実施形態に対して様々な修正と変形を行うことができる。従って、本発明の実施形態のこれらの改修と変形が本発明の請求項及びその同等技術の範囲内に属する場合、本発明もこれらの改修と変形を含む。
【図１】
2015530049.tif 000003
【図２】
2015530049.tif 000004
【図３Ａ】
2015530049.tif 000005
【図３Ｂ】
2015530049.tif 000006
【図３Ｃ】
2015530049.tif 000007
【国際調査報告】
2015530049.tif 000008
2015530049.tif 000009
2015530049.tif 000010
2015530049.tif 000011